(57)【要約】【課題】コーナーリフレクタの位置及び角度によって、電波反射を十分に行うことができない位置及び角度を減少させることが可能なデコイシステムを提供する。【解決手段】互いに直交する３つの電波反射膜と、３つの電波反射膜１ａに囲まれた８つの反射領域１ｃとを有する複数のコーナーリフレクタ１を備え、複数のコーナーリフレクタ１は、同一の直線上に直列に連結され、直線に対し同一の姿勢であり、かつ、３つの電波反射膜１ａが交差する交点を有しており、同一の姿勢は、各コーナーリフレクタ１について、直線が１つの電波反射膜１ａ上に位置し、その他の２つの電波反射膜１ａが直線に対して４５度の角度を有する。【選択図】図５
2013213726.tif 000002
【特許請求の範囲】
【請求項１】
互いに直交する３つの電波反射膜と、該３つの電波反射膜に囲まれた８つの反射領域とを有する複数のコーナーリフレクタを備え、
前記複数のコーナーリフレクタは、同一の直線上に直列に連結され、前記直線に対し同一の姿勢であり、かつ、前記３つの電波反射膜が交差する交点を有しており、
前記同一の姿勢は、各コーナーリフレクタについて、前記直線が１つの電波反射膜上に位置し、その他の２つの電波反射膜が前記直線に対して４５度の角度を有する、ことを特徴とするコーナーリフレクタ群。
【請求項２】
前記複数のコーナーリフレクタにおいて、少なくとも１つのコーナーリフレクタは、その他のいずれかのコーナーリフレクタに対し前記直線を中心に４０度以上６０度以下又は１２０度以上１４０度以下の旋回角度差を有する、ことを特徴とする請求項１に記載のコーナーリフレクタ群。
【請求項３】
前記コーナーリフレクタは、内部にガスが供給されるとガス圧で膨張するバルーンを有し、
前記３つの電波反射膜は、前記バルーンの内壁に取り付けられ、該バルーンが膨張した際に互いに直交する、ことを特徴とする請求項２に記載のコーナーリフレクタ群。
【請求項４】
前記コーナーリフレクタは、内部にガスが供給されると、ガス圧で膨張して環状になる３つの環状体バルーンを有し、
前記３つの電波反射膜は、前記環状を含む平面に展開するように、それぞれ外周縁部が前記３つの環状体バルーンに取り付けられおり、
３つの前記環状体バルーンが、膨張時に互いに直交するように設けられている、ことを特徴とする請求項２に記載のコーナーリフレクタ群。
【請求項５】
請求項１乃至請求項４のいずれかに記載のコーナーリフレクタ群と備えたデコイシステムであって、
地上又は艦艇に設置された発射台と、
前記コーナーリフレクタ群を収納する飛翔体と、
前記コーナーリフレクタ群の落下を遅らせるためのパラシュートと、を有し、
前記飛翔体は、発射台から所定の空域に向かって発射され、所定の時間に前記コーナーリフレクタ群を展開させ、
前記コーナーリフレクタ群は、前記展開後、前記パラシュートと共に落下する、ことを特徴とするデコイシステム。
【発明の詳細な説明】
【技術分野】
【０００１】
本発明は、電波を反射することで敵等を欺瞞するためのコーナーリフレクタ群とこれを備えたデコイシステムに関する。
【背景技術】
【０００２】
レーダターゲットとして一般的に使用されるコーナーリフレクタは、例えば、特許文献１に記載されており、図１の構成を有する。このコーナーリフレクタは、図１のように、互いに直交する３つの電波反射膜３１を有する。これにより、コーナーリフレクタに対し、どの角度から電波が入射してきても、コーナーリフレクタによって、電波が入射してきた方向に反射することができる。
例えば、図２のように、電波Ａと電波Ｂのいずれについても、互いに直交する電波反射膜３１により、入射してきた方向に反射することができる。
【０００３】
コーナーリフレクタは、飛翔体、船、地上などから放出され、その後、空中や水上で図１の形状に展開する。そのために、コーナーリフレクタは、例えば、図１の例のように、バルーン３３を有する。このバルーン３３は、膨張すると球形となる。この膨張により、各電波反射膜３１が図１のように展開するようにバルーン３３の内部に取り付けられている。なお、図１の例では、ボンベ３５がバルーン３３内にガスを供給することで、バルーンを球形に膨張させる。
【０００４】
上述のような構成により、例えば、空中で展開したコーナーリフレクタに、追尾用レーダ装置やミサイルのレーダシーカから電波が入射すると、コーナーリフレクタは、図２のように電波を入射してきた方向に反射することができる。これにより、コーナーリフレクタをレーダのおとりにすることができる。
【０００５】
なお、本願の他の先行技術文献として、下記の特許文献２がある。
【先行技術文献】
【特許文献】
【０００６】
【特許文献１】特開平４−３５５３８８号公報
【特許文献２】特開平９−１９０５８５号公報
【発明の概要】
【発明が解決しようとする課題】
【０００７】
上記特許文献に記載されているようなコーナーリフレクタにおいて、電波反射によってレーダシーカに対する欺瞞を行うことができる。一般に、コーナーリフレクタは広い角度に対し、良好な反射特性を持つが、電波反射の大きさは、レーダシーカに対するコーナーリフレクタの位置及び角度によって異なる。そのため、コーナーリフレクタの角度によっては、電波反射を十分に行うことができない場合があった。
【０００８】
そこで、本発明の目的は、コーナーリフレクタの角度によって、電波反射を十分に行うことができない角度を減少させることが可能なコーナーリフレクタ群とこれを備えたデコイシステムを提供することにある。
【課題を解決するための手段】
【０００９】
上記目的を達成するため、本発明によれば、互いに直交する３つの電波反射膜と、該３つの電波反射膜に囲まれた８つの反射領域とを有する複数のコーナーリフレクタを備え、
前記複数のコーナーリフレクタは、同一の直線上に直列に連結され、前記直線に対し同一の姿勢であり、かつ、前記３つの電波反射膜が交差する交点を有しており、
前記同一の姿勢は、各コーナーリフレクタについて、前記直線が１つの電波反射膜上に位置し、その他の２つの電波反射膜が前記直線に対して４５度の角度を有する、ことを特徴とするコーナーリフレクタ群が提供される。
【００１０】
本発明の実施形態によれば、前記複数のコーナーリフレクタにおいて、少なくとも１つのコーナーリフレクタは、その他のいずれかのコーナーリフレクタに対し前記直線を中心に４０度以上６０度以下又は１２０度以上１４０度以下の旋回角度差を有する
【００１１】
本発明の実施形態によれば、前記コーナーリフレクタは、内部にガスが供給されるとガス圧で膨張するバルーンを有し、
前記３つの電波反射膜は、前記バルーンの内壁に取り付けられ、該バルーンが膨張した際に互いに直交する。
【００１２】
また、本発明の別の実施形態によれば、前記コーナーリフレクタは、内部にガスが供給されると、ガス圧で膨張して環状になる３つの環状体バルーンを有し、
前記３つの電波反射膜は、前記環状を含む平面に展開するように、それぞれ外周縁部が前記３つの環状体バルーンに取り付けられおり、
３つの前記環状体バルーンが、膨張時に互いに直交するように設けられている。
【００１３】
また、本発明によれば、地上又は艦艇に設置された発射台と、
前記コーナーリフレクタ群を収納する飛翔体と、
前記コーナーリフレクタ群の落下を遅らせるためのパラシュートと、を有し、
前記飛翔体は、発射台から所定の空域に向かって発射され、所定の時間に前記コーナーリフレクタ群を展開させ、
前記コーナーリフレクタ群は、前記展開後、前記パラシュートと共に落下する、ことを特徴とするデコイシステムが提供される。
【発明の効果】
【００１４】
本発明によると、複数のコーナーリフレクタは、同一の直線上に直列に連結され、前記直線に対し同一の姿勢であり、かつ、前記３つの電波反射膜が交差する交点を有しており、
前記同一の姿勢は、各コーナーリフレクタについて、前記直線が１つの電波反射膜上に位置し、その他の２つの電波反射膜が前記直線に対して４５度の角度を有することによって、各コーナーリフレクタにおける電波反射が弱い角度について相互に補うことができ、コーナーリフレクタ群全体として、電波反射が弱い角度を減少させることができる。
【図面の簡単な説明】
【００１５】
【図１】従来技術におけるコーナーリフレクタの構成図を示す。
【図２】従来技術におけるコーナーリフレクタの作用を説明する図である。
【図３】本発明の第１実施例におけるコーナーリフレクタの図である。
【図４】本発明の第１実施例におけるデコイシステムの図である。
【図５】本発明の第１実施例におけるコーナーリフレクタ群の図である。
【図６】本発明における中心線の説明図である。
【図７】本発明におけるコーナーリフレクタに対してレーダシーカから電波を向けられた状態の図である。
【図８】本発明のコーナーリフレクタの角度特性についてのグラフである。
【図９】本発明における、旋回角度差を５６度とした２つのコーナーリフレクタからなるコーナーリフレクタ群の角度特性のグラフである。
【図１０】本発明の２つのコーナーリフレクタからなるコーナーリフレクタ群における反射の大きさの最小値について角度特性のグラフである。
【図１１】本発明の第２実施例におけるコーナーリフレクタの図である。
【図１２】本発明の第２実施例におけるコーナーリフレクタ群の図である。
【発明を実施するための形態】
【００１６】
本発明の好ましい実施形態を図面に基づいて説明する。なお、各図において共通する部分には同一の符号を付し、重複した説明を省略する。
【００１７】
図３は、本発明の第１実施例におけるコーナーリフレクタの図であり、図４は、本発明の第１実施例におけるデコイシステムの図である。
この図において、１はコーナーリフレクタ、１ａは電波反射膜、１ｂはバルーン、１ｃは反射領域、２は移動装置、３は飛翔体、４はパラシュート、５はデコイシステム、６ａは発射台、６ｂは艦艇、１０はコーナーリフレクタ群である。
【００１８】
コーナーリフレクタ１は、この例では、ガス圧で膨張してバルーン１ｂと、互いに中心において直交している３つの電波反射膜１ａを有しており、かかる電波反射膜１ａによって、レーダシーカを欺瞞することができるものを想定している。また、３つの電波反射膜１ａが直交して一体となっているため、８つの反射領域１ｃを有する構成になっている。
【００１９】
コーナーリフレクタ１において、バルーン１ｂを有さない構成になっていてもよい。
また、電波反射膜１ａは円形形状に限られず、例えば、三角形や菱形、楕円形状等であってもよい。
【００２０】
この実施形態におけるデコイシステム５は、移動装置２によって発射した飛翔体３から複数のコーナーリフレクタ１からなるコーナーリフレクタ群１０を展開する。このコーナーリフレクタ群１０が海上に落下するまでの間、敵等に対して欺瞞することができる。
このコーナーリフレクタ群１０の展開は、発射から所定時間の経過後、又は所定の高度に達したときに自動的に行われる構成を想定している。一方、例えば、艦艇６ｂ等から展開のタイミングについて信号を受信するための受信装置（図示しない）を有する構成にして、かかる信号を受信したタイミングで展開させる構成であってもよい。
また、コーナーリフレクタ群１０は、上記展開後、連結されていたパラシュート４を開いて落下する。このパラシュート４を有することによって、落下にある程度の時間をかけることができる。
【００２１】
移動装置２は、この例においては、飛翔体３を発射するための発射台６ａを備える艦艇６ｂであるが、陸上における車両等であってもよい。
【００２２】
コーナーリフレクタ群１０は、この例においては、同一の直線上（後述する旋回軸１４上）に直列にコーナーリフレクタ１が３つ連結されているものである。各コーナーリフレクタ１は、電波反射の効果が弱まる角度を減少させるために所定の旋回角度差を有する形で連結されている。
【００２３】
各コーナーリフレクタ１は、それぞれのバルーン１ｂ内部にガスを注入するためのガスボンベ（図示しない）を有している構成であってもよいし、当初より連結するコーナーリフレクタ１のバルーン１ｂを一部において連結した状態で製造し、１つのガスボンベによってバルーン１ｂ内部にガスを注入する構成であってもよい。また、パラシュート４と最上位のコーナーリフレクタ１との連結部分又は最下位のコーナーリフレクタ１の底部にガスボンベを設置させて、適度な重量として機能させることによって、コーナーリフレクタ群１０が安定した形状での落下させることを補助することができる構成であってもよい。
【００２４】
図５は、本発明の第１実施例におけるコーナーリフレクタ群の図であり、図６は中心線の説明図である。
また、図７は、コーナーリフレクタに対してレーダシーカから電波を向けられた状態の説明図であり、図８は、コーナーリフレクタの角度特性についてのグラフである。
この図において、１１ａ〜１１ｃは、互いに直交する３つの円形形状の電波反射膜、１１ｄは反射領域、１２は電波、１３はコーナーリフレクタ１を旋回させる場合における旋回方向、１４は旋回軸、１５は中心線、１６は基準線を表している。
図７（Ａ）は、レーダシーカ（図示しない）からの電波１２が、電波反射膜１１ａに対して垂直に向けられている状態を表している。また、図７（Ｂ）は、図７（Ａ）の状態においてレーダシーカ側から見た電波反射膜１１ａ〜１１ｃの構成図であり、図７（Ｃ）及び図７（Ｄ）は、図７（Ａ）の状態から旋回軸１４を中心に旋回方向１３に向けて、それぞれ４５度、９０度ずつ旋回させた場合におけるレーダシーカ側から見た電波反射膜１１ａ〜１１ｃの構成図である。
【００２５】
この例において、図５に示すように、コーナーリフレクタ群１０における各コーナーリフレクタ１は、旋回軸１４上に連結されている。また、この旋回軸１４に対して同一の姿勢、かつ、同一の旋回角度差をもって固定されている。
ここで、この「同一の姿勢」は、各コーナーリフレクタについて、旋回軸１４がいずれかの電波反射膜上に位置しており、かつ、その他の２つの電波反射膜が旋回軸１４に対して４５度の角度を有している状態であることが望ましい。図６（Ａ）〜（Ｃ）に示すように、コーナーリフレクタ１が有する８つの反射領域１１ｄのそれぞれについて、これを形成する電波反射膜１１ａ〜１１ｃのそれぞれから等角度αの位置に存在する軸を中心線１５とした場合、８つの中心線のうち４つが水平方向に向くことになる。そのため、欺瞞対象であるレーダシーカ等に対して、高い電波反射効果を発揮することが期待できるからである。なお、図６（Ａ）〜（Ｃ）における角度αは、中心線１５から電場反射膜１１ａ〜１１ｃに下した垂線の足とコーナーリフレクタ１の中心を結んだ直線を基準線１６とし、この基準線１６と中心線１５との角度を求めたものである。
また、「同一の旋回角度差」とは、例えば、１番上のコーナーリフレクタを基準として２番目のコーナーリフレクタにおける旋回軸１４を回転軸とした旋回角度差を３０°とした場合、２番目のコーナーリフレクタを基準とした場合における３番目のコーナーリフレクタの旋回角度差も３０°とすることをいう。
なお、各コーナーリフレクタ１は、旋回軸１４が各コーナーリフレクタ１における３つの電波反射膜１１ａ〜１１ｃの交点を通る形で連結していることが好ましい。
【００２６】
また、図５において、旋回方向１３は時計回りであるが、反時計回りに旋回させてもよい。
【００２７】
図８は、図７（Ａ）の状態から、旋回方向１３に向けてコーナーリフレクタ１を旋回させていった場合における旋回角度と電波反射の大きさとの関係を示すものである。この図において、横軸はコーナーリフレクタ１の旋回角度を表し、縦軸は、レーダに対する反射の大きさを表している。
ここで、反射の大きさについては、ＲＣＳ（Ｒａｄｅｒ  Ｃｒｏｓｓ  Ｓｅｃｔｉｏｎ：レーダ反射断面積[ｍ２]）の値について常用対数[ｄＢｍ２]で表している。
この例においては、図８に示すように、コーナーリフレクタを１つ用いた場合における反射の大きさの最大の値を便宜的に２０[ｄＢｍ２]として説明を行う。
【００２８】
図８において、旋回角度が０度、９０度、１８０度近辺において、一時的に強い電波反射をしているが、この部分を除けば概ね５０度近辺及び１３０度近辺を最高点とした曲線形状になっている。そのため、この図より、コーナーリフレクタ１は旋回角度が３５度〜８０度及び１００度〜１４５度近辺にあるとき比較的強い電波反射を行うことが可能になるということになる。一方で、２度〜１０度近辺及び１７０度〜１７８度近辺においては、電波反射が非常に弱まっていることになる。
【００２９】
以下において、上記図８を元に、２つ以上のコーナーリフレクタ１を有するコーナーリフレクタ群１０の設定すべき旋回角度差について考える。
【００３０】
図９は、２つのコーナーリフレクタＡ、Ｂからなるコーナーリフレクタ群において、旋回角度差を５６度とした場合のグラフである。
このグラフによれば、最低値は８０度付近及び１６０度付近（反射の大きさは約１７[ｄＢｍ２]）であり、図８に示すコーナーリフレクタが１つの場合と比較して、どの角度であってもある程度安定的な反射の大きさを維持していることになる。
【００３１】
つまり、図９より、旋回角度差が５６度である２つのコーナーリフレクタを含む複数のコーナーリフレクタからなるコーナーリフレクタ群であれば、コーナーリフレクタ群全体における反射の大きさとして、少なくとも約１７[ｄＢｍ２]を確保することができるということになる。
【００３２】
図１０は、旋回角度差を０度から１８０度まで旋回させ、上記の旋回角度差が５６度の場合のように、各旋回角度差についても最低値を求めたものである。
この図において、例えば、コーナーリフレクタ群全体として最低限必要な反射の大きさを約１５[ｄＢｍ２]とした場合、これを超える旋回角度差の範囲は、４０度から６０度までの間、及び１２０度から１４０度までの間となっている。
つまり、上記範囲の旋回角度差を有する２つのコーナーリフレクタを有する３つ以上のコーナーリフレクタ群であれば、連結されているコーナーリフレクタの数にかかわらず、コーナーリフレクタ群全体における反射の大きさとして少なくとも約１５[ｄＢｍ２]を確保することができるということになる。
【００３３】
上述した実施形態１におけるコーナーリフレクタのように、内部に３つの電波反射膜を備えたバルーン以外であっても、例えば、図１１に記載されているように環状体のバルーンを使用することも可能である。       
実施形態１におけるバルーンと比較した場合に、環状体のバルーンは、気体を注入する領域が小さいため、素早い膨張を行うことができるというメリットを有している。
なお、図１１において、２１はコーナーリフレクタ、２１ａは電波反射膜、２１ｂは環状体バルーンである。
【００３４】
この実施形態において、コーナーリフレクタ２１は、３つの電波反射膜２１ａ及び３つの環状体バルーン２１ｂからなる。この電波反射膜２１ａは、環状体バルーン２１ｂを含む平面に展開するように、それぞれ外周縁部が環状体バルーン２１ｂに取り付けられている。
【００３５】
電波反射膜２１ａは、この例において、導電性繊維を用いた布地によって形成されている。
導電性繊維は、例えば、ナイロンの繊維に金属膜（銅、銀など）をコーティングしたものであってよい。
この例において、電波反射膜２１ａは、３枚の円形の膜からなり、上記膨張時には平面が互いに直交用に組まれる構造になっている。好ましくは、電波反射膜２１ａは、各膜を二等分する弦が互いに直交するように組まれる形が望ましい。この構造によって、環状体バルーン２１ｂの膨張時には互いに直交する３つの電波反射膜２１ａを１組として、８組の電波反射膜２１ａが設けられることになる。
環状体バルーン２１ｂは、内部にガスが供給されると、ガス圧で膨張して環状になる。
環状体バルーン２１ｂを使用することによって、例えば、球状バルーンに比べ格段に少ないガス量でコーナーリフレクタ２１を膨張することが可能になる。
そのため、コーナーリフレクタ２１の膨張に要する時間を短縮することができるというメリットがある。
なお、環状体バルーン２１ｂは、ポリオレフィンやポリ塩化ビニルなどのプラスチックフィルムで形成されてよい。
【００３６】
また、好ましくは、環状体バルーン２１ｂの外周を拘束用布で包むことによって、環状体バルーン２１ｂが所定の限界体積以上に膨張することを抑制することが望ましい。
【００３７】
図３に記載のコーナーリフレクタ１に代えて図１１に記載のコーナーリフレクタ２１を使用することによって、例えば、バルーンの膨張に要する時間及び膨張に必要なガスの量を減らすことができるため、より迅速にコーナーリフレクタ２１の膨張を行うことができるというメリットを有する。
また、例えば、コーナーリフレクタ２１を収納するスペースを小さくすることができる。
【００３８】
図１２は、図１１に記載したコーナーリフレクタ２１を用いたコーナーリフレクタ群３０が落下する場合における構成図である。
この場合も上述した図３の場合と同様に、コーナーリフレクタ群３０の各コーナーリフレクタ２１は、電波反射の効果が弱まる角度を減少させるために所定の旋回角度差を有する形で連結している。
【００３９】
本発明は上述した実施の形態に限定されず、本発明の要旨を逸脱しない範囲で種々変更を加え得ることは勿論である。
本発明のコーナーリフレクタは、敵等を欺瞞させるために用いる以外の用途にも使用してもよい。例えば、本発明のコーナーリフレクタを、特許文献２のように、遭難者の居場所を知らせるために使用してもよい。
【符号の説明】
【００４０】
１  コーナーリフレクタ、１ａ  電波反射膜、１ｂ  バルーン、
１ｃ  反射領域、２  移動装置、３  飛翔体、４  パラシュート、
５  デコイシステム、６ａ  発射台、６ｂ  艦艇、
１０  コーナーリフレクタ群、
１１ａ〜１１ｃ  電波反射膜、
１２  電波、１３  旋回方向、１４  旋回軸、
１５  中心線、１６  基準線、
２１  コーナーリフレクタ、２１ａ  電波反射膜、
２１ｂ  環状体バルーン、２４  パラシュート、
３０  コーナーリフレクタ群
【図１】
2013213726.tif 000003
【図２】
2013213726.tif 000004
【図３】
2013213726.tif 000005
【図４】
2013213726.tif 000006
【図５】
2013213726.tif 000007
【図６】
2013213726.tif 000008
【図７】
2013213726.tif 000009
【図８】
2013213726.tif 000010
【図９】
2013213726.tif 000011
【図１０】
2013213726.tif 000012
【図１１】
2013213726.tif 000013
【図１２】
2013213726.tif 000014